(57)【要約】      （修正有）【課題】ハンドオーバ先無線基地局Ｔ-ｅＮＢで把握することのできない「ＳＰＩＤ」の転送を抑制する。【解決手段】移動通信方法は、無線基地局ｅＮＢ＃１が、移動局ＵＥの無線基地局ｅＮＢ＃１配下のセル＃１から無線基地局ｅＮＢ＃２配下のセル＃２に対するハンドオーバ手順が完了した後に、移動局ＵＥの「Ｓｅｒｖｉｎｇ  ＰＬＭＮ」が変わるか否かについて判定する工程と、無線基地局ｅＮＢ＃１が、移動局ＵＥの「Ｓｅｒｖｉｎｇ  ＰＬＭＮ」が変わることを検知した場合、無線基地局ｅＮＢ＃２に対して、「ＳＰＩＤ」を通知しない工程とを有する。【選択図】図１
2012238918.tif 000002
【特許請求の範囲】
【請求項１】
第１無線基地局が、移動局の該第１無線基地局配下のセルから第２無線基地局配下のセルに対するハンドオーバ手順が完了した後に、該移動局のサービングＰＬＭＮが変わるか否かについて判定する工程と、
前記第１無線基地局が、前記移動局のサービングＰＬＭＮが変わることを検知した場合、前記第２無線基地局に対して、該移動局が無線アクセス方式を選択する際に用いられる優先度を規定する所定情報を通知しない工程とを有することを特徴とする移動通信方法。
【請求項２】
第１無線基地局が、移動局の該第１無線基地局配下のセルから第２無線基地局配下のセルに対するハンドオーバ手順が完了した後に、該移動局のサービングＰＬＭＮが変わるか否かについて判定する工程と、
前記第１無線基地局が、前記移動局のサービングＰＬＭＮが変わることを検知した場合で、かつ、該移動局が無線アクセス方式を選択する際に用いられる優先度を規定する所定情報として所定範囲内の値が規定されている場合、前記第２無線基地局に対して、該所定情報を通知する工程と、
前記第１無線基地局が、前記移動局のサービングＰＬＭＮが変わることを検知した場合で、かつ、前記所定情報として前記所定範囲内の値が規定されていない場合、前記第２無線基地局に対して、該所定情報を通知しない工程とを有することを特徴とする移動通信方法。
【請求項３】
第１無線基地局が、移動局の該第１無線基地局配下のセルから第２無線基地局配下のセルに対するハンドオーバ手順が完了した後に、該移動局のサービングＰＬＭＮが変わるか否かについて判定する工程と、
前記第１無線基地局が、前記移動局のサービングＰＬＭＮが変わることを検知した場合で、かつ、該移動局が無線アクセス方式を選択する際に用いられる優先度を規定する所定情報として所定範囲内の値が規定されている場合、前記第２無線基地局に対して、該所定情報を通知する工程と、
前記第１無線基地局が、前記移動局のサービングＰＬＭＮが変わることを検知した場合で、かつ、前記所定情報として前記所定範囲内の値が規定されていない場合、該所定情報として規定されている値を前記所定範囲内の値に変更して、前記第２無線基地局に対して通知する工程とを有することを特徴とする移動通信方法。
【請求項４】
無線基地局であって、
移動局の前記無線基地局配下のセルから他の無線基地局配下のセルに対するハンドオーバ手順が完了した後に、該移動局のサービングＰＬＭＮが変わるか否かについて判定するように構成されている判定部と、
前記移動局のサービングＰＬＭＮが変わることを検知した場合、前記他の無線基地局に対して、該移動局が無線アクセス方式を選択する際に用いられる優先度を規定する所定情報を通知しないように構成されている送信部とを具備することを特徴とする無線基地局。
【請求項５】
無線基地局であって、
移動局の前記無線基地局配下のセルから他の無線基地局配下のセルに対するハンドオーバ手順が完了した後に、該移動局のサービングＰＬＭＮが変わるか否かについて判定するように構成されている判定部と、
前記移動局のサービングＰＬＭＮが変わることを検知した場合で、かつ、該移動局が無線アクセス方式を選択する際に用いられる優先度を規定する所定情報として所定範囲内の値が規定されている場合、前記他の無線基地局に対して、該所定情報を通知するように構成されている送信部とを具備しており、
前記移動局のサービングＰＬＭＮが変わることを検知した場合で、かつ、前記所定情報として前記所定範囲内の値が規定されていない場合、前記送信部は、前記他の無線基地局に対して、該所定情報を通知しないように構成されていることを特徴とする無線基地局。
【請求項６】
無線基地局であって、
移動局の前記無線基地局配下のセルから他の無線基地局配下のセルに対するハンドオーバ手順が完了した後に、該移動局のサービングＰＬＭＮが変わるか否かについて判定するように構成されている判定部と、
前記移動局のサービングＰＬＭＮが変わることを検知した場合で、かつ、該移動局が無線アクセス方式を選択する際に用いられる優先度を規定する所定情報として所定範囲内の値が規定されている場合、前記他の無線基地局に対して、該所定情報を通知するように構成されている送信部とを具備しており、
前記移動局のサービングＰＬＭＮが変わることを検知した場合で、かつ、前記所定情報として前記所定範囲内の値が規定されていない場合、前記送信部は、該所定情報として規定されている値を前記所定範囲内の値に変更して、前記他の無線基地局に対して通知するように構成されていることを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、Ｓ１ハンドオーバ手順及びＸ２ハンドオーバ手順において、ハンドオーバ元無線基地局Ｓ-ｅＮＢが、ハンドオーバ先無線基地局Ｔ-ｅＮＢに対して、「ＳＰＩＤ（Ｓｕｂｓｃｒｉｂｅｒ  Ｐｒｏｆｉｌｅ  ＩＤ  ｆｏｒ  ＲＡＴ/Ｆｒｅｑｕｅｎｃｙ  Ｐｒｉｏｒｉｔｙ）」を転送するように構成されている。
【０００３】
なお、「ＳＰＩＤ」は、３ＧＰＰにおけるＲＡＮ仕様における名称であり、３ＧＰＰにおけるＳＡ仕様では、「ＲＦＳＰ  ｉｎｄｅｘ（ＲＡＴ/Ｆｒｅｑｕｅｎｃｙ  Ｓｅｌｅｃｔｉｏｎ  Ｐｒｉｏｒｉｔｙ  ｉｎｄｅｘ）」と呼ばれている。
【０００４】
「ＳＰＩＤ」は、「ＲＲＣ_Ｃｏｎｎｅｃｔｅｄ状態」又は「Ｉｄｌｅ状態」の移動局ＵＥが、無線アクセス方式（ＲＡＴ/周波数）を選択する際に用いられる優先度を規定するものである。
【０００５】
「ＳＰＩＤ」には、「１」〜「２５６」の２５６値を設定することができ、「１」〜「１２８」は、オペレータが自由に設定できる値であり、「１２９」〜「２５６」は、３ＧＰＰの仕様にて規定される「ｗｅｌｌ  ｋｎｏｗｎ  ｖａｌｕｅ」である。
【０００６】
図９に示すように、「ＳＰＩＤ＝２５４」、「ＳＰＩＤ＝２５５」及び「ＳＰＩＤ＝２５６」の場合の優先度が規定されている。
【先行技術文献】
【非特許文献】
【０００７】
【非特許文献１】３ＧＰＰ  ＴＳ３６.３００
【発明の概要】
【発明が解決しようとする課題】
【０００８】
しかしながら、ハンドオーバ元無線基地局Ｓ-ｅＮＢからハンドオーバ先無線基地局Ｔ-ｅＮＢに対して「ＳＰＩＤ」を転送する規定は、同じＰＬＭＮ（Ｐｕｂｌｉｃ  Ｌａｎｄ  Ｍｏｂｉｌｅ  Ｎｅｔｗｏｒｋ）が提供する無線基地局ｅＮＢ間のハンドオーバを想定している。
【０００９】
したがって、Ｓ１ハンドオーバ又はＸ２ハンドオーバによってＰＬＭＮが変わった場合、ハンドオーバ先無線基地局Ｔ-ｅＮＢは、ハンドオーバ元無線基地局Ｓ-ｅＮＢから転送された「ＳＰＩＤ」によって規定される優先度を把握することができないという問題点があった。
【００１０】
特に、図１０に示すように、Ｓ１ハンドオーバ又はＸ２ハンドオーバによってＰＬＭＮが変わった場合（例えば、ＰＬＭＮ＃Ａ→ＰＬＭＮ＃Ｂ）、ハンドオーバ先無線基地局Ｔ-ｅＮＢは、「ｗｅｌｌ  ｋｎｏｗｎ  ｖａｌｕｅ」以外の値、すなわち、ＰＬＭＮ＃Ａが独自に優先度を設定した値（例えば、「５０」）が設定されている「ＳＰＩＤ」によって規定される優先度を把握することができないという問題点があった。
【００１１】
そのため、ハンドオーバ先無線基地局Ｔ-ｅＮＢは、ＴＡＵ（Ｔｒａｃｋｉｎｇ  Ａｒｅａ  Ｕｐｄａｔｅ）手順における「Ｔｒａｃｋｉｎｇ  Ａｒｅａ  Ｕｐｄａｔｅ  Ａｃｃｅｐｔ」を運ぶ「Ｓ１  Ｄｏｗｎｌｉｎｋ  ＮＡＳ  Ｔｒａｎｓｐｏｒｔ」によって移動管理ノードＭＭＥ（Ｍｏｂｉｌｉｔｙ  Ｍａｎａｇｅｍｅｎｔ  Ｅｎｔｉｔｙ）から「ＳＰＩＤ」が通知されるまでの間、「ＳＰＩＤ」によって規定される優先度に従った制御を行うことができないという問題点があった。
【００１２】
そこで、本発明は、上述の課題に鑑みてなされたものであり、ハンドオーバ先無線基地局Ｔ-ｅＮＢで把握することのできない「ＳＰＩＤ」の転送を抑制することができる、移動通信方法及び無線基地局を提供することを目的とする。
【課題を解決するための手段】
【００１３】
本発明の第１の特徴は、移動通信方法であって、第１無線基地局が、移動局の該第１無線基地局配下のセルから第２無線基地局配下のセルに対するハンドオーバ手順が完了した後に、該移動局のサービングＰＬＭＮが変わるか否かについて判定する工程と、前記第１無線基地局が、前記移動局のサービングＰＬＭＮが変わることを検知した場合、前記第２無線基地局に対して、該移動局が無線アクセス方式を選択する際に用いられる優先度を規定する所定情報を通知しない工程とを有することを要旨とする。
【００１４】
本発明の第２の特徴は、移動通信方法であって、第１無線基地局が、移動局の該第１無線基地局配下のセルから第２無線基地局配下のセルに対するハンドオーバ手順が完了した後に、該移動局のサービングＰＬＭＮが変わるか否かについて判定する工程と、前記第１無線基地局が、前記移動局のサービングＰＬＭＮが変わることを検知した場合で、かつ、該移動局が無線アクセス方式を選択する際に用いられる優先度を規定する所定情報として所定範囲内の値が規定されている場合、前記第２無線基地局に対して、該所定情報を通知する工程と、前記第１無線基地局が、前記移動局のサービングＰＬＭＮが変わることを検知した場合で、かつ、前記所定情報として前記所定範囲内の値が規定されていない場合、前記第２無線基地局に対して、該所定情報を通知しない工程とを有することを要旨とする。
【００１５】
本発明の第３の特徴は、移動通信方法であって、第１無線基地局が、移動局の該第１無線基地局配下のセルから第２無線基地局配下のセルに対するハンドオーバ手順が完了した後に、該移動局のサービングＰＬＭＮが変わるか否かについて判定する工程と、前記第１無線基地局が、前記移動局のサービングＰＬＭＮが変わることを検知した場合で、かつ、該移動局が無線アクセス方式を選択する際に用いられる優先度を規定する所定情報として所定範囲内の値が規定されている場合、前記第２無線基地局に対して、該所定情報を通知する工程と、前記第１無線基地局が、前記移動局のサービングＰＬＭＮが変わることを検知した場合で、かつ、前記所定情報として前記所定範囲内の値が規定されていない場合、該所定情報として規定されている値を前記所定範囲内の値に変更して、前記第２無線基地局に対して通知する工程とを有することを要旨とする。
【００１６】
本発明の第４の特徴は、無線基地局であって、移動局の前記無線基地局配下のセルから他の無線基地局配下のセルに対するハンドオーバ手順が完了した後に、該移動局のサービングＰＬＭＮが変わるか否かについて判定するように構成されている判定部と、前記移動局のサービングＰＬＭＮが変わることを検知した場合、前記他の無線基地局に対して、該移動局が無線アクセス方式を選択する際に用いられる優先度を規定する所定情報を通知しないように構成されている送信部とを具備することを要旨とする。
【００１７】
本発明の第５の特徴は、無線基地局であって、移動局の前記無線基地局配下のセルから他の無線基地局配下のセルに対するハンドオーバ手順が完了した後に、該移動局のサービングＰＬＭＮが変わるか否かについて判定するように構成されている判定部と、前記移動局のサービングＰＬＭＮが変わることを検知した場合で、かつ、該移動局が無線アクセス方式を選択する際に用いられる優先度を規定する所定情報として所定範囲内の値が規定されている場合、前記他の無線基地局に対して、該所定情報を通知するように構成されている送信部とを具備しており、前記移動局のサービングＰＬＭＮが変わることを検知した場合で、かつ、前記所定情報として前記所定範囲内の値が規定されていない場合、前記送信部は、前記他の無線基地局に対して、該所定情報を通知しないように構成されていることを要旨とする。
【００１８】
本発明の第６の特徴は、無線基地局であって、移動局の前記無線基地局配下のセルから他の無線基地局配下のセルに対するハンドオーバ手順が完了した後に、該移動局のサービングＰＬＭＮが変わるか否かについて判定するように構成されている判定部と、前記移動局のサービングＰＬＭＮが変わることを検知した場合で、かつ、該移動局が無線アクセス方式を選択する際に用いられる優先度を規定する所定情報として所定範囲内の値が規定されている場合、前記他の無線基地局に対して、該所定情報を通知するように構成されている送信部とを具備しており、前記移動局のサービングＰＬＭＮが変わることを検知した場合で、かつ、前記所定情報として前記所定範囲内の値が規定されていない場合、前記送信部は、該所定情報として規定されている値を前記所定範囲内の値に変更して、前記他の無線基地局に対して通知するように構成されていることを要旨とする。
【発明の効果】
【００１９】
以上説明したように、本発明によれば、ハンドオーバ先無線基地局Ｔ-ｅＮＢで把握することのできない「ＳＰＩＤ」の転送を抑制することができる、移動通信方法及び無線基地局を提供することができる。
【図面の簡単な説明】
【００２０】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局においてＳｅｒｖｉｎｇ-ＰＬＭＮの変更を検知する方法の一例について説明するための図である。
【図４】本発明の第１の実施形態に係る移動通信システムで用いられる「Ｘ２  Ｈａｎｄｏｖｅｒ  Ｒｅｑｕｅｓｔ」のフォーマット例について示す図である。
【図５】本発明の第１の実施形態に係る移動通信システムで用いられる「Ｓｏｕｒｃｅ  ｅＮＢ  ｔｏ  Ｔａｒｇｅｔ  ｅＮＢ  ｔｒａｎｓｐａｒｅｎｔ  ｃｏｎｔａｉｎｅｒ」のフォーマット例について示す図である。
【図６】本発明の第１の実施形態に係る無線基地局の動作を示すフローチャートである。
【図７】本発明の変更例１に係る無線基地局の動作を示すフローチャートである。
【図８】本発明の変更例２に係る無線基地局の機能ブロック図である。
【図９】従来の移動通信システムで規定されている「ＳＰＩＤ」について説明するための図である。
【図１０】従来の移動通信システムについて説明するための図である。
【発明を実施するための形態】
【００２１】
（本発明の第１の実施形態に係る移動通信システム）
図１乃至図６を参照して、本発明の第１の実施形態に係る移動通信システムについて説明する。
【００２２】
図１に示すように、本実施形態に係る移動通信システムは、ＬＴＥ方式の移動通信システムであって、セル＃１を管理している無線基地局ｅＮＢ＃１と、セル＃２を管理している無線基地局ｅＮＢ＃２とを具備している。
【００２３】
無線基地局ｅＮＢ＃１は、配下のセル（例えば、セル＃１）において、「Ｐｒｉｍａｒｙ  ＰＬＭＮ」として「ＰＬＭＮ＃１」を含む「ＰＬＭＮ  Ｌｉｓｔ」を報知しており、無線基地局ｅＮＢ＃２は、配下のセル（例えば、セル＃２）において、「Ｐｒｉｍａｒｙ  ＰＬＭＮ」として「ＰＬＭＮ＃２」を含む「ＰＬＭＮ  Ｌｉｓｔ」を報知している。
【００２４】
また、無線基地局ｅＮＢ＃１は、ＰＬＭＮ＃１において「ＳＰＩＤ＝５０」及び「ＳＰＩＤ＝６０」を設定しており、無線基地局ｅＮＢ＃２は、ＰＬＭＮ＃２において「ＳＰＩＤ＝１」及び「ＳＰＩＤ＝２」を設定している。
【００２５】
本実施形態に係る無線基地局ｅＮＢ＃１は、図２に示すように、管理部１１と、受信部１２と、判定部１３と、送信部１４とを具備している。
【００２６】
管理部１１は、各ＰＬＭＮにおいて設定されている「ＳＰＩＤ」を管理するように構成されている。
【００２７】
また、管理部１１は、配下のセルにおいて提供可能なＰＬＭＮについて管理するように構成されている。
【００２８】
受信部１２は、配下のセル内の移動局ＵＥや隣接する無線基地局ｅＮＢ（例えば、無線基地局ｅＮＢ＃２）によって送信された各種信号を受信するように構成されている。
【００２９】
また、受信部１２は、隣接する無線基地局ｅＮＢ（例えば、無線基地局ｅＮＢ＃２）によって報知されている報知信号を受信するように構成されている。
【００３０】
ここで、受信部１２は、隣接する無線基地局ｅＮＢから、Ｘ２インターフェイスを介して、セル＃２において報知されている「ＰＬＭＮ  Ｌｉｓｔ」を取得するように構成されていてもよいし、隣接する無線基地局ｅＮＢによって報知されている報知信号から、セル＃２において報知されている「ＰＬＭＮ  Ｌｉｓｔ」を取得するように構成されていてもよい。
【００３１】
判定部１３は、移動局ＵＥのセル＃１からセル＃２に対するハンドオーバ手順（Ｓ１ハンドオーバ手順又はＸ２ハンドオーバ手順）が完了した後に、移動局ＵＥの「Ｓｅｒｖｉｎｇ  ＰＬＭＮ（サービングＰＬＭＮ）」が変わるか否かについて判定するように構成されている。
【００３２】
例えば、図３に示すように、判定部１３は、「Ｍｅａｓｕｒｅｍｅｎｔ  Ｒｅｐｏｒｔ」で移動局ＵＥから報告されたハンドオーバ先候補セル＃２において報知されている「ＰＬＭＮ  Ｌｉｓｔ」とセル＃１における移動局ＵＥの「Ｓｅｒｖｉｎｇ  ＰＬＭＮ」とを比較することによって、移動局ＵＥの「Ｓｅｒｖｉｎｇ  ＰＬＭＮ」が変わるか否かについて判定するように構成されている。
【００３３】
ここで、図３（ａ）に示すように、判定部１３は、セル＃２において報知されている「ＰＬＭＮ  Ｌｉｓｔ（ＰＬＭＮ＃１〜＃３）」内に、セル＃１における移動局ＵＥの「Ｓｅｒｖｉｎｇ  ＰＬＭＮ（ＰＬＭＮ＃１）」が含まれている場合、移動局ＵＥの「Ｓｅｒｖｉｎｇ  ＰＬＭＮ」が変わらないと判定するように構成されている。
【００３４】
なお、判定部１３は、図３（ａ）に示すように、セル＃１における移動局ＵＥの「Ｓｅｒｖｉｎｇ  ＰＬＭＮ（ＰＬＭＮ＃１）」が、セル＃２において報知されている「ＰＬＭＮ  Ｌｉｓｔ」内に「Ｐｒｉｍａｒｙ  ＰＬＭＮ」として含まれていなくても、移動局ＵＥの「Ｓｅｒｖｉｎｇ  ＰＬＭＮ」が変わらないと判定するように構成されていてもよい。
【００３５】
一方、図３（ｂ）に示すように、判定部１３は、セル＃２において報知されている「ＰＬＭＮ  Ｌｉｓｔ（ＰＬＭＮ＃１〜＃３）」内に、セル＃１における移動局ＵＥの「Ｓｅｒｖｉｎｇ  ＰＬＭＮ（ＰＬＭＮ＃１）」が含まれていない場合、移動局ＵＥの「Ｓｅｒｖｉｎｇ  ＰＬＭＮ」が変わると判定するように構成されている。
【００３６】
なお、かかる場合、図３（ｂ）に示すように、判定部１３は、セル＃２において報知されている「ＰＬＭＮ  Ｌｉｓｔ（ＰＬＭＮ＃２〜＃４）」のうち、移動局ＵＥの「ＨＯ  Ｒｅｓｔｒｉｃｔｉｏｎ  Ｌｉｓｔ」内に「Ｅｑｕｉｖａｌｅｎｔ  ＰＬＭＮ」として設定されている「ＰＬＭＮ＃２」を、セル＃２における移動局ＵＥの「Ｓｅｒｖｉｎｇ  ＰＬＭＮ」と判定するように構成されていてもよい。
【００３７】
送信部１４は、配下のセル内の移動局ＵＥや隣接する無線基地局ｅＮＢ（例えば、無線基地局ｅＮＢ＃２）に対して、各種信号を送信するように構成されている。
【００３８】
ここで、判定部１３が、移動局ＵＥのセル＃１からセル＃２に対するハンドオーバ手順が完了した後に、移動局ＵＥの「Ｓｅｒｖｉｎｇ  ＰＬＭＮ」が変わらないと判定した場合、送信部１４は、無線基地局ｅＮＢ＃２に対して、ＰＬＭＮ＃１において設定されている「ＳＰＩＤ」を通知するように構成されている。
【００３９】
例えば、判定部１３が、移動局ＵＥのセル＃１からセル＃２に対するＸ２ハンドオーバ手順が完了した後に、移動局ＵＥの「Ｓｅｒｖｉｎｇ  ＰＬＭＮ」が変わらないと判定した場合、送信部１４は、図４に示すように、無線基地局ｅＮＢ＃２に対して送信する「Ｘ２  Ｈａｎｄｏｖｅｒ  Ｒｅｑｕｅｓｔ」内の情報要素「Ｓｕｂｓｃｒｉｂｅｒ  Ｐｒｏｆｉｌｅ  ＩＤ  ｆｏｒ  ＲＡＴ/Ｆｒｅｑｕｅｎｃｙ  ｐｒｉｏｒｉｔｙ」に、ＰＬＭＮ＃１において設定されている「ＳＰＩＤ」を設定するように構成されている（３ＧＰＰのＴＳ３６.４２３参照）。
【００４０】
或いは、判定部１３が、移動局ＵＥのセル＃１からセル＃２に対するＳ１ハンドオーバ手順が完了した後に、移動局ＵＥの「Ｓｅｒｖｉｎｇ  ＰＬＭＮ」が変わらないと判定した場合、送信部１４は、図５に示すように、移動管理ノードＭＭＥに対して送信する「Ｓｏｕｒｃｅ  ｅＮＢ  ｔｏ  Ｔａｒｇｅｔ  ｅＮＢ  ｔｒａｎｓｐａｒｅｎｔ  ｃｏｎｔａｉｎｅｒ」内の情報要素「Ｓｕｂｓｃｒｉｂｅｒ  Ｐｒｏｆｉｌｅ  ＩＤ  ｆｏｒ  ＲＡＴ/Ｆｒｅｑｕｅｎｃｙ  ｐｒｉｏｒｉｔｙ」に、ＰＬＭＮ＃１において設定されている「ＳＰＩＤ」を設定するように構成されている（３ＧＰＰのＴＳ３６.４１３参照）。
【００４１】
一方、判定部１３が、移動局ＵＥのセル＃１からセル＃２に対するハンドオーバ手順が完了した後に、移動局ＵＥの「Ｓｅｒｖｉｎｇ  ＰＬＭＮ」が変わると判定した場合、無線基地局ｅＮＢ＃２に対して、ＰＬＭＮ＃１において設定されている「ＳＰＩＤ」を通知しないように構成されている。
【００４２】
例えば、判定部１３が、移動局ＵＥのセル＃１からセル＃２に対するＸ２ハンドオーバ手順が完了した後に、移動局ＵＥの「Ｓｅｒｖｉｎｇ  ＰＬＭＮ」が変わらないと判定した場合、送信部１４は、図４に示すように、無線基地局ｅＮＢ＃２に対して送信する「Ｘ２  Ｈａｎｄｏｖｅｒ  Ｒｅｑｕｅｓｔ」内の情報要素「Ｓｕｂｓｃｒｉｂｅｒ  Ｐｒｏｆｉｌｅ  ＩＤ  ｆｏｒ  ＲＡＴ/Ｆｒｅｑｕｅｎｃｙ  ｐｒｉｏｒｉｔｙ」に、ＰＬＭＮ＃１において設定されている「ＳＰＩＤ」を設定しないように構成されている（３ＧＰＰのＴＳ３６.４２３参照）。
【００４３】
或いは、判定部１３が、移動局ＵＥのセル＃１からセル＃２に対するＳ１ハンドオーバ手順が完了した後に、移動局ＵＥの「Ｓｅｒｖｉｎｇ  ＰＬＭＮ」が変わらないと判定した場合、送信部１４は、図５に示すように、移動管理ノードＭＭＥに対して送信する「Ｓｏｕｒｃｅ  ｅＮＢ  ｔｏ  Ｔａｒｇｅｔ  ｅＮＢ  ｔｒａｎｓｐａｒｅｎｔ  ｃｏｎｔａｉｎｅｒ」内の情報要素「Ｓｕｂｓｃｒｉｂｅｒ  Ｐｒｏｆｉｌｅ  ＩＤ  ｆｏｒ  ＲＡＴ/Ｆｒｅｑｕｅｎｃｙ  ｐｒｉｏｒｉｔｙ」に、ＰＬＭＮ＃１において設定されている「ＳＰＩＤ」を設定しないように構成されている（３ＧＰＰのＴＳ３６.４１３参照）。
【００４４】
以下、図６を参照して、本発明の第１の実施形態に係る無線基地局ｅＮＢ＃１の動作の一例について説明する。
【００４５】
図６に示すように、ステップＳ１０１において、無線基地局ｅＮＢ＃１は、移動局ＵＥのセル＃１からセル＃２に対するハンドオーバ手順（Ｓ１ハンドオーバ手順又はＸ２ハンドオーバ手順）が完了した後に、移動局ＵＥの「Ｓｅｒｖｉｎｇ  ＰＬＭＮ」が変わるか否かについて判定する。
【００４６】
「ＹＥＳ」の場合、本動作は、ステップＳ１０２に進み、「ＮＯ」の場合、本動作は、ステップＳ１０３に進む。
【００４７】
ステップＳ１０２において、無線基地局ｅＮＢ＃１は、無線基地局ｅＮＢ＃２に対して、ＰＬＭＮ＃１において設定されている「ＳＰＩＤ」を転送しない。
【００４８】
一方、ステップＳ１０３において、無線基地局ｅＮＢ＃１は、無線基地局ｅＮＢ＃２に対して、ＰＬＭＮ＃１において設定されている「ＳＰＩＤ」を転送する。
【００４９】
本発明の第１の実施形態に係る移動通信システムによれば、無線基地局ｅＮＢ＃１は、移動局ＵＥのセル＃１からセル＃２に対するハンドオーバ手順（Ｓ１ハンドオーバ手順又はＸ２ハンドオーバ手順）が完了した後に、移動局ＵＥの「Ｓｅｒｖｉｎｇ  ＰＬＭＮ」が変わると判定した場合、無線基地局ｅＮＢ＃２に対して、セル＃１で提供されていたＰＬＭＮ＃１において設定されている「ＳＰＩＤ」を転送しないように構成されているため、無線基地局ｅＮＢ＃２が把握することができない無駄な「ＳＰＩＤ」の転送を回避することができる。
【００５０】
（変更例１）
図７を参照して、本発明の第１の実施形態の変更例１に係る移動通信システムについて説明する。以下、本変更例１に係る移動通信システムについて、上述の第１の実施形態に係る移動通信システムとの相違点に着目して説明する。
【００５１】
本変更例１に係る移動通信システムでは、判定部１３が、移動局ＵＥのセル＃１からセル＃２に対するハンドオーバ手順が完了した後に、移動局ＵＥの「Ｓｅｒｖｉｎｇ  ＰＬＭＮ」が変わると判定した場合であっても、ＰＬＭＮ＃１において「ＳＰＩＤ」として「ｗｅｌｌ  ｋｎｏｗｎ  ｖａｌｕｅ（１２９〜２５６）」が規定されている場合、送信部１４は、無線基地局ｅＮＢ＃２に対して、ＰＬＭＮ＃１において設定されている「ＳＰＩＤ」を通知するように構成されている。
【００５２】
一方、判定部１３が、移動局ＵＥのセル＃１からセル＃２に対するハンドオーバ手順が完了した後に、移動局ＵＥの「Ｓｅｒｖｉｎｇ  ＰＬＭＮ」が変わると判定した場合で、かつ、ＰＬＭＮ＃１において「ＳＰＩＤ」として「ｗｅｌｌ  ｋｎｏｗｎ  ｖａｌｕｅ（１２９〜２５６）」以外の値が規定されている場合には、送信部１４は、無線基地局ｅＮＢ＃２に対して、ＰＬＭＮ＃１において設定されている「ＳＰＩＤ」を通知しないように構成されている。
【００５３】
或いは、判定部１３が、移動局ＵＥのセル＃１からセル＃２に対するハンドオーバ手順が完了した後に、移動局ＵＥの「Ｓｅｒｖｉｎｇ  ＰＬＭＮ」が変わると判定した場合で、かつ、ＰＬＭＮ＃１において「ＳＰＩＤ」として「ｗｅｌｌ  ｋｎｏｗｎ  ｖａｌｕｅ（１２９〜２５６）」以外の値が規定されている場合には、送信部１４は、かかる「ＳＰＩＤ」として規定されている値を「ｗｅｌｌ  ｋｎｏｗｎ  ｖａｌｕｅ（１２９〜２５６）」に変更して、無線基地局ｅＮＢ＃２に対して通知するように構成されていてもよい。
【００５４】
以下、図７を参照して、本変更例１に係る無線基地局ｅＮＢ＃１の動作の一例について説明する。
【００５５】
図７に示すように、ステップＳ２０１において、無線基地局ｅＮＢ＃１は、移動局ＵＥのセル＃１からセル＃２に対するハンドオーバ手順（Ｓ１ハンドオーバ手順又はＸ２ハンドオーバ手順）が完了した後に、移動局ＵＥの「Ｓｅｒｖｉｎｇ  ＰＬＭＮ」が変わるか否かについて判定する。
【００５６】
「ＹＥＳ」の場合、本動作は、ステップＳ２０２に進み、「ＮＯ」の場合、本動作は、ステップＳ２０４に進む。
【００５７】
ステップＳ２０２において、無線基地局ｅＮＢ＃１は、ＰＬＭＮ＃１において「ＳＰＩＤ」として「ｗｅｌｌ  ｋｎｏｗｎ  ｖａｌｕｅ（１２９〜２５６）」が設定されているか否かについて判定する。
【００５８】
「ＮＯ」の場合、本動作は、ステップＳ２０３に進み、「ＹＥＳ」の場合、本動作は、ステップＳ２０４に進む。
【００５９】
ステップＳ２０３において、無線基地局ｅＮＢ＃１は、無線基地局ｅＮＢ＃２に対して、ＰＬＭＮ＃１において設定されている「ＳＰＩＤ」を通知しないように構成されている。
【００６０】
或いは、無線基地局ｅＮＢ＃１は、かかる「ＳＰＩＤ」として規定されている値を「ｗｅｌｌ  ｋｎｏｗｎ  ｖａｌｕｅ（１２９〜２５６）」に変更して、無線基地局ｅＮＢ＃２に対して通知する。
【００６１】
一方、ステップＳ２０４において、無線基地局ｅＮＢ＃１は、無線基地局ｅＮＢ＃２に対して、ＰＬＭＮ＃１において設定されている「ＳＰＩＤ」をそのまま転送する。
【００６２】
本発明の第２の実施形態に係る移動通信システムによれば、無線基地局ｅＮＢ＃１は、移動局ＵＥのセル＃１からセル＃２に対するハンドオーバ手順（Ｓ１ハンドオーバ手順又はＸ２ハンドオーバ手順）が完了した後に、移動局ＵＥの「Ｓｅｒｖｉｎｇ  ＰＬＭＮ」が変わると判定した場合で、かつ、ＰＬＭＮ＃１において「ＳＰＩＤ」として「ｗｅｌｌ  ｋｎｏｗｎ  ｖａｌｕｅ（１２９〜２５６）」以外の値が規定されている場合には、無線基地局ｅＮＢ＃２に対して、セル＃１で提供されていたＰＬＭＮ＃１において設定されている「ＰＳＩＤ」を転送しないように構成されているため、無線基地局ｅＮＢ＃２が把握することができない無駄な「ＳＰＩＤ」の転送を回避することができる。
【００６３】
或いは、本発明の第２の実施形態に係る移動通信システムによれば、無線基地局ｅＮＢ＃１は、移動局ＵＥのセル＃１からセル＃２に対するハンドオーバ手順（Ｓ１ハンドオーバ手順又はＸ２ハンドオーバ手順）が完了した後に、移動局ＵＥの「Ｓｅｒｖｉｎｇ  ＰＬＭＮ」が変わると判定した場合で、かつ、ＰＬＭＮ＃１において「ＳＰＩＤ」として「ｗｅｌｌ  ｋｎｏｗｎ  ｖａｌｕｅ（１２９〜２５６）」以外の値が規定されている場合には、かかる「ＳＰＩＤ」として規定されている値を「ｗｅｌｌ  ｋｎｏｗｎ  ｖａｌｕｅ（１２９〜２５６）」に変更して、無線基地局ｅＮＢ＃２に対して転送するように構成されているため、無線基地局ｅＮＢ＃２は、転送された「ＳＰＩＤ」によって規定される優先度を把握することができる。
【００６４】
（変更例２）
図８を参照して、本発明の第１の実施形態の変更例２に係る移動通信システムについて説明する。以下、本変更例２に係る移動通信システムについて、上述の第１の実施形態に係る移動通信システムとの相違点に着目して説明する。
【００６５】
図８に示すように、本変更例２に係る無線基地局ｅＮＢ＃２は、受信部２１と、管理部２２とを具備している。
【００６６】
受信部２１は、配下のセル内の移動局ＵＥや隣接する無線基地局ｅＮＢ（例えば、無線基地局ｅＮＢ＃１）によって送信された各種信号を受信するように構成されている。
【００６７】
ここで、受信部２１は、移動局ＵＥのセル＃１からセル＃２に対するＸ２ハンドオーバ手順において、Ｘ２インターフェイスを介して、ＰＬＭＮ＃１において設定されている「ＳＰＩＤ」を取得するように構成されていてもよい。
【００６８】
或いは、受信部２１は、移動局ＵＥのセル＃１からセル＃２に対するＳ１ハンドオーバ手順において、Ｓ１インターフェイスを介して、ＰＬＭＮ＃１において設定されている「ＳＰＩＤ」を取得するように構成されていてもよい。
【００６９】
管理部２２は、各ＰＬＭＮにおいて設定されている「ＳＰＩＤ」を管理するように構成されている。
【００７０】
また、管理部２２は、配下のセルにおいて提供可能なＰＬＭＮについて管理するように構成されている。
【００７１】
ここで、管理部２２は、受信部２１によって取得された「ＳＰＩＤ」に「１」〜「１２８」が設定されている場合には、無線基地局ｅＮＢ＃２において設定されている「ＳＰＩＤ」のいずれかを、セル＃２において移動局ＵＥが用いる「ＳＰＩＤ」として管理するように構成されている。
【００７２】
或いは、管理部２２は、受信部２１によって取得された「ＳＰＩＤ」に「１２９」〜「２５６」が設定されている場合であっても、かかる「ＳＰＩＤ」について無線基地局ｅＮＢ＃２が把握することができない場合には、無線基地局ｅＮＢ＃２において設定されている「ＳＰＩＤ」のいずれかを、セル＃２において移動局ＵＥが用いる「ＳＰＩＤ」として管理するように構成されている。
【００７３】
また、管理部２２は、受信部２１によって取得された「ＳＰＩＤ」に「１」〜「１２８」が設定されている場合には、かかる「ＳＰＩＤ」を無視して、セル＃２において移動局ＵＥが用いる「ＳＰＩＤ」を決定するように構成されていてもよい。
【００７４】
また、管理部２２は、受信部２１によって取得された「ＳＰＩＤ」に「１２９」〜「２５６」が設定されている場合であっても、かかる「ＳＰＩＤ」について無線基地局ｅＮＢ＃２が把握することができない場合には、かかる「ＳＰＩＤ」を無視して、セル＃２において移動局ＵＥが用いる「ＳＰＩＤ」を決定するように構成されていてもよい。
【００７５】
本発明の変更例２に係る移動通信システムによれば、無線基地局ｅＮＢ＃２は、無線基地局ｅＮＢ＃１から受信した「ＳＰＩＤ」に基づいて、セル＃２において移動局ＵＥが用いる「ＳＰＩＤ」を決定することができないという事態を回避することができる。
【００７６】
以上に述べた本実施形態の特徴は、以下のように表現されていてもよい。
【００７７】
本実施形態の第１の特徴は、移動通信方法であって、無線基地局ｅＮＢ＃１（第１無線基地局）が、移動局ＵＥの無線基地局ｅＮＢ＃１配下のセル＃１から無線基地局ｅＮＢ＃２（第２無線基地局）配下のセル＃２に対するハンドオーバ手順が完了した後に、移動局ＵＥの「Ｓｅｒｖｉｎｇ  ＰＬＭＮ（サービングＰＬＭＮ）」が変わるか否かについて判定する工程と、無線基地局ｅＮＢ＃１が、移動局ＵＥの「Ｓｅｒｖｉｎｇ  ＰＬＭＮ」が変わることを検知した場合、無線基地局ｅＮＢ＃２に対して、「ＳＰＩＤ（移動局ＵＥが無線アクセス方式を選択する際に用いられる優先度を規定する所定情報）」を通知しない工程とを有することを要旨とする。
【００７８】
本実施形態の第２の特徴は、移動通信方法であって、無線基地局ｅＮＢ＃１が、移動局ＵＥの無線基地局ｅＮＢ＃１配下のセル＃１から無線基地局ｅＮＢ＃２配下のセル＃２に対するハンドオーバ手順が完了した後に、移動局ＵＥの「Ｓｅｒｖｉｎｇ  ＰＬＭＮ」が変わるか否かについて判定する工程と、無線基地局ｅＮＢ＃１が、移動局ＵＥの「Ｓｅｒｖｉｎｇ  ＰＬＭＮ」が変わることを検知した場合で、かつ、「ＳＰＩＤ」として「ｗｅｌｌ  ｋｎｏｗｎ  ｖａｌｕｅ（１２９〜２５６）（所定範囲内の値）」が規定されている場合、無線基地局ｅＮＢ＃２に対して、かかる「ＳＰＩＤ」を通知する工程と、無線基地局ｅＮＢ＃１が、移動局ＵＥの「Ｓｅｒｖｉｎｇ  ＰＬＭＮ」が変わることを検知した場合で、かつ、「ＳＰＩＤ」として「ｗｅｌｌ  ｋｎｏｗｎ  ｖａｌｕｅ（１２９〜２５６）」が規定されていない場合、無線基地局ｅＮＢ＃２に対して、かかる「ＳＰＩＤ」を通知しない工程とを有することを要旨とする。
【００７９】
本実施形態の第３の特徴は、移動通信方法であって、無線基地局ｅＮＢ＃１が、移動局ＵＥの無線基地局ｅＮＢ＃１配下のセル＃１から無線基地局ｅＮＢ＃２配下のセル＃２に対するハンドオーバ手順が完了した後に、移動局ＵＥの「Ｓｅｒｖｉｎｇ  ＰＬＭＮ」が変わるか否かについて判定する工程と、無線基地局ｅＮＢ＃１が、移動局ＵＥの「Ｓｅｒｖｉｎｇ  ＰＬＭＮ」が変わることを検知した場合で、かつ、「ＳＰＩＤ」として「ｗｅｌｌ  ｋｎｏｗｎ  ｖａｌｕｅ（１２９〜２５６）」が規定されている場合、無線基地局ｅＮｂ＃２に対して、かかる「ＳＰＩＤ」を通知する工程と、無線基地局ｅＮＢ＃１が、移動局ＵＥの「Ｓｅｒｖｉｎｇ  ＰＬＭＮ」が変わることを検知した場合で、かつ、「ＳＰＩＤ」として「ｗｅｌｌ  ｋｎｏｗｎ  ｖａｌｕｅ（１２９〜２５６）」が規定されていない場合、かかる「ＳＰＩＤ」として規定されている値を「ｗｅｌｌ  ｋｎｏｗｎ  ｖａｌｕｅ（１２９〜２５６）」に変更して、無線基地局ｅＮｂ＃２に対して通知する工程とを有することを要旨とする。
【００８０】
本実施形態の第４の特徴は、無線基地局ｅＮＢ＃１であって、移動局ＵＥの無線基地局ｅＮＢ＃１配下のセル＃１から無線基地局ｅＮＢ＃２配下のセル＃２に対するハンドオーバ手順が完了した後に、移動局ＵＥの「Ｓｅｒｖｉｎｇ  ＰＬＭＮ」が変わるか否かについて判定するように構成されている判定部１３と、移動局ＵＥの「Ｓｅｒｖｉｎｇ  ＰＬＭＮ」が変わることを検知した場合、無線基地局ｅＮＢ＃２に対して、「ＳＰＩＤ」を通知しないように構成されている送信部１４とを具備することを要旨とする。
【００８１】
本実施形態の第５の特徴は、無線基地局ｅＮＢ＃１であって、移動局ＵＥの無線基地局ｅＮＢ＃１配下のセル＃１から無線基地局ｅＮＢ＃２配下のセル＃２に対するハンドオーバ手順が完了した後に、移動局ＵＥの「Ｓｅｒｖｉｎｇ  ＰＬＭＮ」が変わるか否かについて判定するように構成されている判定部１３と、移動局ＵＥの「Ｓｅｒｖｉｎｇ  ＰＬＭＮ」が変わることを検知した場合で、かつ、「ＳＰＩＤ」として「ｗｅｌｌ  ｋｎｏｗｎ  ｖａｌｕｅ（１２９〜２５６）」が規定されている場合、無線基地局ｅＮＢ＃２に対して、かかる「ＳＰＩＤ」を通知するように構成されている送信部１４とを具備しており、移動局ＵＥの「Ｓｅｒｖｉｎｇ  ＰＬＭＮ」が変わることを検知した場合で、かつ、「ＳＰＩＤ」として「ｗｅｌｌ  ｋｎｏｗｎ  ｖａｌｕｅ（１２９〜２５６）」が規定されていない場合、送信部１４は、無線基地局ｅＮＢ＃２に対して、かかる「ＳＰＩＤ」を通知しないように構成されていることを要旨とする。
【００８２】
本実施形態の第６の特徴は、無線基地局ｅＮＢ＃１であって、移動局ＵＥの無線基地局ｅＮＢ＃１配下のセル＃１から無線基地局ｅＮＢ＃２配下のセル＃２に対するハンドオーバ手順が完了した後に、移動局ＵＥの「Ｓｅｒｖｉｎｇ  ＰＬＭＮ」が変わるか否かについて判定するように構成されている判定部１３と、移動局ＵＥの「Ｓｅｒｖｉｎｇ  ＰＬＭＮ」が変わることを検知した場合で、「ＳＰＩＤ」として「ｗｅｌｌ  ｋｎｏｗｎ  ｖａｌｕｅ（１２９〜２５６）」が規定されている場合、無線基地局ｅＮＢ＃２に対して、かかる「ＳＰＩＤ」を通知するように構成されている送信部１４とを具備しており、移動局ＵＥの「Ｓｅｒｖｉｎｇ  ＰＬＭＮ」が変わることを検知した場合で、かつ、「ＳＰＩＤ」として「ｗｅｌｌ  ｋｎｏｗｎ  ｖａｌｕｅ（１２９〜２５６）」が規定されていない場合、送信部１４は、「ＳＰＩＤ」として規定されている値を「ｗｅｌｌ  ｋｎｏｗｎ  ｖａｌｕｅ（１２９〜２５６）」に変更して、無線基地局ｅＮＢ＃２に対して通知するように構成されていることを要旨とする。
【００８３】
なお、上述の無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００８４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃１/ｅＮＢ＃２や移動局ＵＥ内に設けられていてもよい。また、かかる記憶媒体及びプロセッサは、ディスクリートコンポーネントとして無線基地局ｅＮＢ＃１/ｅＮＢ＃２や移動局ＵＥ内に設けられていてもよい。
【００８６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８７】
ＵＥ…移動局
ｅＮＢ＃１、ｅＮＢ＃２…無線基地局
１１、２２…管理部
１２、２１…受信部
１３…判定部
１４…送信部
【図１】
2012238918.tif 000003
【図２】
2012238918.tif 000004
【図３】
2012238918.tif 000005
【図４】
2012238918.tif 000006
【図５】
2012238918.tif 000007
【図６】
2012238918.tif 000008
【図７】
2012238918.tif 000009
【図８】
2012238918.tif 000010
【図９】
2012238918.tif 000011
【図１０】
2012238918.tif 000012